(57)【要約】【課題】作業台の折り畳み姿勢での支持脚と台板裏面との間隔を可及的に小さくしてコンパクトに折り畳むことができるようにする。【解決手段】台板２の長手方向各端部２ａの外側面２ｄと裏面２ｃとの間に、この外側面２ｄの延長線Ｙと裏面２ｃの延長線Ｘの交差点Ｚよりも内側に後退する後退面２ｅを形成して、枢支軸３１が台板２の裏面２ｃの延長線Ｘに近づいて配置可能とする懐部３７を設けた。【選択図】図１
2006307579.tif 000002
【特許請求の範囲】
【請求項１】
天板（４）の長手方向各端部（４ａ）に終端部材（５）を設けてなる台板（２）と、この台板（２）を支持する支持脚（３）とを備え、前記台板（２）の長手方向各端部（２ａ）側面に設けたブラケット（２９）と、支持脚（３）の上部に設けた連結板（３０）とを枢支軸（３１）で連結して前記各支持脚（３）を台板（２）の裏面（２ｃ）側に折り畳み可能としており、
前記台板（２）の長手方向各端部（２ａ）の外側面（２ｄ）と裏面（２ｃ）との間に、この外側面（２ｄ）の延長線（Ｙ）と裏面（２ｃ）の延長線（Ｘ）の交差点（Ｚ）よりも内側に後退する後退面（２ｅ）を形成して、前記枢支軸（３１）が台板（２）の裏面（２ｃ）の延長線（Ｘ）に近づいて配置可能とする懐部（３７）を設けたことを特徴とする作業台。
【請求項２】
前記枢支軸（３１）を前記台板（２）の裏面（２ｃ）の延長線（Ｘ）とほぼ同位置かまたはこの延長線（Ｘ）よりも上位の位置に配置したことを特徴とする請求項１に記載の作業台。
【請求項３】
前記支持脚（３）を立脚する作業姿勢と支持脚（３）が台板（２）の裏面（２ｃ）側に沿う折り畳み姿勢の各姿勢でロック・解除するロック手段（３９）を台板（２）に備えており、このロック手段（３９）は、台板（２）の終端部材（５）内に幅方向移動可能に支持されていて前記連結板（３０）に形成したロック孔（５０）に挿脱自在なロックピン（４０）と、このロックピン（４０）を操作する摘み部（４１）とを有し、前記台板（２）の外側面（２ｄ）に前記摘み部（４１）を外方に突出させる開口部（１５）を形成したことを特徴とする請求項１または２に記載の作業台。
【発明の詳細な説明】
【技術分野】
【０００１】
本発明は、支持脚を折り畳み可能な作業台に関する。
【背景技術】
【０００２】
従来、この種の作業台としては、天板の長手方向各端部に終端部材（端部形材）を設けて台板を形成し、この台板の長手方向各端部を支持する支持脚を備え、前記台板の幅方向各端部側面に設けたブラケット（取付板）と、支持脚の上部に設けた連結板とを枢支軸で連結して前記各支持脚を台板の裏面側に折り畳み可能としたものがある。
この作業台は、前記枢支軸が台板の裏面から下方に離間されて配置されており、支持脚を折り畳んだ折り畳み姿勢において、支持脚と台板の裏面とが離間された状態となっている（例えば、特許文献１参照）。
【特許文献１】特許第３０３０２５３号公報
【発明の開示】
【発明が解決しようとする課題】
【０００３】
従来の作業台は、折り畳み姿勢において支持脚と台板の裏面とが離間されていたため、上下幅が嵩んでしまっていた。
本発明は上記の事情に鑑みてなされたものであり、枢支軸を台板の端部側に設けた懐部に配置することによって、折り畳み姿勢での支持脚と台板裏面との間隔を可及的に小さくしてコンパクトに折り畳むことができる作業台を提供することを目的とする。
【課題を解決するための手段】
【０００４】
本発明は上記目的を達成するために以下の技術的手段を講じた。
第１に、天板４の長手方向各端部４ａに終端部材５を設けてなる台板２と、この台板２を支持する支持脚３とを備え、前記台板２の長手方向各端部２ａ側面に設けたブラケット２９と、支持脚３の上部に設けた連結板３０とを枢支軸３１で連結して前記各支持脚３を台板２の裏面２ｃ側に折り畳み可能としており、前記台板２の長手方向各端部２ａの外側面２ｄと裏面２ｃとの間に、この外側面２ｄの延長線Ｙと裏面２ｃの延長線Ｘの交差点Ｚよりも内側に後退する後退面２ｅを形成して、前記枢支軸３１が台板２の裏面２ｃの延長線Ｘに近づいて配置可能とする懐部３７を設けたことを特徴とする。
【０００５】
これによれば、前記前台板２の長手方向端部２ａ側に前記後退面２ｅを形成することで懐部３７ができ、これによって枢支軸３１を台板２の裏面２ｃの延長線Ｘに近づけて配置できるようになる。したがって、折り畳み姿勢での支持脚３と台板２の裏面２ｃとの間隔が可及的に小さくなり、作業台をコンパクトに折り畳むことができる。
第２に、前記枢支軸３１を前記台板２の裏面２ｃの延長線Ｘとほぼ同位置かまたはこの延長線Ｘよりも上位の位置に配置したことを特徴とする。
これによれば、枢支軸３１を台板２の裏面２ｃの延長線Ｘとほぼ同位置かまたはこの延長線Ｘよりも上位の位置に配置することで、支持脚３をより台板２側に近づけることができ、折り畳み姿勢での支持脚３と台板２の裏面２ｃとの間隔が可及的に小さくなり、作業台をコンパクトに折り畳むことができる。
【０００６】
第３に、前記支持脚３を立脚する作業姿勢と支持脚３が台板２の裏面２ｃ側に沿う折り畳み姿勢の各姿勢でロック・解除するロック手段３９を台板２に備えており、このロック手段３９は、台板２の終端部材５内に幅方向移動可能に支持されていて前記連結板３０に形成したロック孔５０に挿脱自在なロックピン４０と、このロックピン４０を操作する摘み部４１とを有し、前記台板２の外側面２ｄに前記摘み部４１を外方に突出させる開口部１５を形成したことを特徴とする。
これによれば、作業者が摘み部４１を操作しやすくなり、ロック手段３９によるロック・解除が容易にできるようになる。
【発明の効果】
【０００７】
本発明によれば、台板の長手方向端部側に後退面を形成し、枢支軸を台板の端部の懐部に配置することによって、折り畳み姿勢での支持脚と台板裏面との間隔を可及的に小さくでき、作業台をコンパクトに折り畳むことができる。
【発明を実施するための最良の形態】
【０００８】
以下、図面を参照しながら本発明の実施の形態を説明する。
図４〜６において、作業台１は、長方形状の台板２と、この台板２の長手方向の各端部２ａを支持する支持脚３を有する。この作業台１は、支持脚３を立脚する作業姿勢と支持脚３が台板２の裏面２ｃに沿う折り畳み姿勢（図４において２点鎖線で示す姿勢）とに姿勢変更可能となっている。
台板２は、長方形状の２枚の天板４を並設し、天板４の長手方向各端部４ａに終端部材（端部カバー）５を設けることで形成されている。この天板４には例えばＣ字状のアルミ製押出形材が用いられる。この天板４は、上壁部６と、この上壁部６の幅方向端部から下方の突出する側壁部７と、側壁部７の突出端部から天板４の幅方向内側に突出する下壁部８とを有する。なお、天板４の数は２枚に限らず、１枚、または３枚以上の複数としてもよい。
【０００９】
前記終端部材５には例えばＣ字状のアルミ製押出形材が用いられる。この終端部材５は、図１、２、７に示すように台板２の長手方向各端部２ａの端面となる外側面２ｄを構成する側面部９と、天板４の上面と一体となって台板２の上面（表面）２ｂを構成する上面部１０と、天板４の下面と一体となって台板２の裏面２ｃを構成する下面部１１とを有する。
前記側面部９は、台板２の長手方向各端部２ａの外側面２ｄを構成する縦面１３と、この縦面１３に対して所定角度で傾斜する傾斜面１４を有している。縦面１３は側面部９の上側に形成されており、傾斜面１４は側面部９の下側に形成されている。
【００１０】
図５〜７に示すように、前記縦面１３には、２つの開口部１５が形成されており、各開口部１５は、終端部材５の長手方向中央を挟んでこの中央寄り位置に形成されている。各開口部１５は長方形状とされており、この開口部１５の上縁の裏側（側壁部７の内側）にはリブ１６が形成されている。
図６、７に示すように、前記上面部１０は、前記側面部９の上端から前記縦面１３に対してほぼ直角となるように突出して形成されている。この上面部１０には天板４の長手方向各端部４ａに取付けられる取付部１８と、天板４にこの終端部材５を取り付けたときに天板４の上面とともに台板２の上面２ｂと面一の踏み面を形成する踏み面部１９とが形成されている。取付部１８と踏み面部１９との間には段部２０が形成されており、取付部１８は踏み面部１９に対して下位位置となるように設けられている。
【００１１】
この段部２０には天板４の長手方向各端部４ａが当接する当接面２１が形成されている。当接面２１は前記縦面１３とほぼ平行となるように上下方向に沿って形成されている。上面部１０の内側にはリブ２２が前記段部２０に対応した位置で内方に突出形成されている。
図７に示すように、前記下面部１１は、側面部９（傾斜面１４）の下端から前記上面部１０と同じ方向に突出形成されている。この下面部１１の内側には、天板４の長手方向各端部４ａが当接する当接面２３が形成されている。この当接面２３は上面部１０の当接面２１と同様に側面部９の縦面１３とほぼ平行となるように形成されている。
【００１２】
図１に示すように、終端部材５は、上面部１０の取付部１８が天板４の上壁部６の下面（内側の面）に当接するように天板４の長手方向各端部４ａから嵌め込まれ、下面部１１が天板４の下壁部８の下面に当接されている。上面部１０、下面部１１のそれぞれには、複数の貫通孔が形成されており、終端部材５は、この貫通孔を介してリベット、ボルト・ナット等の固定具によって天板４に一体に取り付けられている。
図５に示すように、前記各支持脚３は、天板４の幅方向に離間された２本の支柱２６の中途部を複数の踏桟２７で連結して構成されている。前記支柱２６は図５の２点鎖線で示すように長さ変更可能となっており、これによって作業台１は台板２の高さを変更して作業ができるようになっている。
【００１３】
前記台板２の長手方向各端部２ａ側面、すなわち天板４の幅方向外側面（側壁部７の外面）には、支持脚３が取付けられるブラケット２９が設けられ、支持脚３の上部、すなわち支持脚２６の上部各側面にはこのブラケット２９と連結する連結板３０が設けられている。前記ブラケット２９と連結板３０は枢支軸３１を介して連結されており、支持脚３はこの枢支軸３１廻りに回動して台板２の裏面２ｃ側に折り畳み可能となっている。
図１に示すように、前記ブラケット２９は、板状に形成されており、台板２の長手方向各端部２ａの幅方向側面に取付けられる取付部３３と、前記枢支軸３１を支持する支持部３４と、前記連結板３０が当接する当接部３５を有している。
【００１４】
前記取付部３３はリベット等の固定具を介して台板２の端部２ａ側面（側壁部７の外面）に固定されており、これによってブラケット２９は前記終端部材５の長手方向端部を覆っている。前記支持部３４は取付部３３の一端部に設けられており、台板２の長手方向各端部２ａから外方に突出して形成されている。
前記当接部３５は、前記支持部３４の上方に形成されており、取付部３３に対してほぼ直角に屈曲形成されている。この当接部３５は、台板２の長手方向各端部２ａの外側面２ｄ、すなわち、終端部材５の縦面１３に当接されている。この当接部３５には、作業姿勢において、前記支持脚３に設けられた連結板３０の上部が当接するようになっている。
【００１５】
台板２の長手方向各端部２ａに終端部材５を設けることにより、この端部２ａの下側には、終端部材５の内側、すなわち台板２の長手方向中央側（以下、内側という）に後退する後退面２ｅが形成される。この後退面２ｅは、終端部材５の傾斜面１４に相当しており、台板２の長手方向各端部２ａの外側面２ｄと裏面２ｃとの間に形成される。
また、この後退面２ｅは、台板２の裏面２ｃから引いた前記延長線Ｘと、台板２の長手方向各端部２ａの外側面２ｄ（終端部材５の縦面１３に相当する面）に沿って上下方向に引いた延長線Ｙの交差点Ｚよりも内側に後退して形成されている。
【００１６】
図１に示すように、前記ブラケット２９の支持部３４は、前記後退面２ｅから支持脚３に向かって突出されている。また、この支持部３４は、台板２の外側面２ｄよりも外方に突出し、かつ台板２の裏面２ｃよりも下方に突出して設けられており、この突出した部分で枢支軸３１を支持している。
台板２の長手方向各端部２ａと支持脚３との間には、枢支軸３１を台板２の裏面２ｃから台板２の長手方向に向かって引いた延長線Ｘに近づけて配置するための懐部３７が形成されている。
【００１７】
台板２に後退面２ｅを形成することによって、懐部３７を可及的に広く確保することができる。すなわち、前記後退面２ｅは、図１に示すようにこの後退面２ｅと前記延長線Ｘと延長線Ｙとで区画された範囲をぬすんでおり、これによって支持脚３と台板２の端部２ａとの間の隙間である懐部３７を大きくすることができ、この間に枢支軸３１を配置することができるのである。
また、懐部３７を形成することで枢支軸３１を前記延長線Ｘに近づけて配置することができる。より具体的には、前記枢支軸３１を前記台板２の裏面２ｃの延長線Ｘとほぼ同位置かまたはこの延長線Ｘよりも上位の位置に配置できる。
【００１８】
また、上述のように支持部３４を台板２の外側面２ｄよりも外方に突出し、かつ台板２の裏面２ｃよりも下方に突出して形成することで、枢支軸３１を延長線Ｘに近づけた位置で支持するのに充分な大きさ、強度を確保することができる。
このように枢支軸３１を延長線Ｘに近づけて配置することによって、枢支軸３１と台板２とを上下にオーバラップさせることができる。これによって、台板２と枢支軸３１との上下方向で離間しないようにできるので、作業台１を折り畳み姿勢にしたときに、支持脚３と台板２の裏面２ｃとの間隔を可及的に小さくすることができ、または支持脚３と台板２の裏面２ｃとを密着させることができ、作業台１をコンパクトに折り畳むことができるようになる。
【００１９】
図２、６に示すように、前記台板２には、作業姿勢と折り畳み姿勢の各姿勢で支持脚３をロック・解除するロック手段３９が設けられている。
ロック手段３９は、棒状のロックピン４０とこのロックピン４０を操作するための摘み部４１を有する。ロックピン４０は、前記終端部材５内に設けられた支持部材４２に支持されている。支持部材４２にはコ字状の板材を用いており、この支持部材４２は、終端部材５に取付けられる取付部４３と、ロックピン４０を支持する対の支持部４４を有している。前記取付部４３にはリベット等の固定具により終端部材５の側面部９に固定されている。
【００２０】
前記各支持部４４は、ロックピン４０を挿通する挿通孔を有しており、支持部材４２は、ロックピン４０を両支持部４４の挿通孔に挿通することで、このロックピン４０を台板２の幅方向に移動可能に支持している。
ロックピン４０の中途部には、Ｅ型止め輪４６が設けられており、このＥ型止め輪４６と前記支持部４４の一方との間にコイルバネ４７が設けられている。ロックピン４０はこのコイルバネ４７によって台板２の幅方向中央から幅方向端部に向かう方向に付勢されている。
【００２１】
図２、３に示すように、台板２のブラケット２９には、前記ロックピン４０を外方に突出させるための貫通孔４９が形成されており、この貫通孔４９にロックピン４０が挿通されている。一方、支持脚３の連結板３０には、ロックピン４０を挿脱するロック孔５０が形成されている。ロック孔５０は、作業姿勢においてロックピン４０が挿通される第１ロック孔５０ａと、折り畳み姿勢においてロックピン４０が挿通される第２ロック孔５０ｂからなる。
前記摘み部４１は、平面視Ｌ字状とされており、ロックピン４０に対してほぼ直角に交差するように突出する突出端部４１ａを有している。この突出端部４１ａは、終端部材５の開口部１５を通じて外方に突出されている。このように摘み部４１の突出端部４１ａを
開口部１５から外方に突出させることで、作業者がこの摘み部４１を視認しやすく、簡単に操作できるようになっている。
【００２２】
ロック手段３９は、ブラケット２９の貫通孔４９とロック孔５０が一致したときに、ロックピン４０をロック孔５０に自動的に挿通させて支持脚３をロックするようになっている。
このロック状態から摘み部４１を前記コイルバネ４７の付勢力に抗するように台板２の幅方向中央に向かって引くと、ロックピン４０が連結板３０のロック孔５０から抜かれてロックが解除され、作業台１は支持脚３の姿勢を変更できるようになる。
なお、本発明は上記の実施の形態に限らず、種々の変形・変更が可能である。
【００２３】
上記の実施形態では、終端部材５の側面部９の下側に傾斜面１４を形成し、この傾斜面１４が台板２の長手方向端部２ａ下側の後退面２ｅとされていたが、この傾斜面１４の他に、例えば図８に示すように、終端部材５の縦面１３と下面部１１との間に終端部材５の内側に凸となるような円弧状の壁部５１を形成し、終端部材５の側面部９下側部分（縦面１３と下面部１１との間）に、内側に凹む凹部５２を形成し、この壁部５１の外面を台板２の後退面２ｅとして、前記懐部３７を形成するようにしてもよい。
また、図９に示すように、終端部材５の縦面１３と下面部１１との間に、台板２の裏面２ｃの延長線Ｘから上方に後退する横壁４３と、台板２の外側面２ｄの延長線Ｙから台板２の長手方向中央側に後退する縦壁５４とを形成して、終端部材５に内側に凹む凹部（ぬすみ部）５２を形成することによっても懐部３７を形成することができる。
【００２４】
後退面２ｅは上記の形態に限らず、終端部材５の側面部９の下側部分に、内側に凹むぬすみ部を形成するものであれば、どのような形状であってもよい。
【産業上の利用可能性】
【００２５】
本発明は、支持脚を立脚する作業姿勢と台板の裏面側に沿うように折り畳む作業台に利用できる。
【図面の簡単な説明】
【００２６】
【図１】本発明の実施形態に係る作業台の要部拡大正面図である。
【図２】同側面図である。
【図３】作業台の部分断面図である。
【図４】作業台の正面図である。
【図５】作業台の側面図である。
【図６】台板の平面図である。
【図７】終端部材の断面斜視図である。
【図８】終端部材の変形例を示す断面斜視図である。
【図９】終端部材の他の変形例を示す断面斜視図である。
【符号の説明】
【００２７】
１    作業台
２    台板
２ａ  端部
２ｃ  裏面
２ｄ  外側面
２ｅ  後退面
３    支持脚
４    天板
５    終端部材
１５    開口部
２９    ブラケット
３０    連結板
３１    枢支軸
３４    支持部
３７    懐部
３９    ロック手段
４０    ロックピン
４１    摘み部
５０    ロック孔
Ｘ    台板裏面の延長線
Ｙ    台板外側面の延長線
【図１】
2006307579.tif 000003
【図２】
2006307579.tif 000004
【図３】
2006307579.tif 000005
【図４】
2006307579.tif 000006
【図５】
2006307579.tif 000007
【図６】
2006307579.tif 000008
【図７】
2006307579.tif 000009
【図８】
2006307579.tif 000010
【図９】
2006307579.tif 000011